(57)【要約】【課題】  熱交換器のアース線固定部の金具端面は錆びやすいため、該錆を隠す為に筐体とは別に、該アース線固定ねじ部を覆うカバーを備えることにより美観を保っているが、別部品であるため、部品数が増えてしまい製造原価アップにつながっている。【解決手段】  空気調和機のアースを室内にて施工するためのアース線固定ねじ部を熱交換器側方に設け、該上記アース線固定ねじ部よりアース線を斜め上方に導き、室内ユニット背面へと導くアース線案内溝を筐体と一体成形にて設けた。【選択図】  図１
2007085565.tif 000002
【特許請求の範囲】
【請求項１】
空気調和機の室内ユニット筐体に室内熱交換器と室内電気品箱を内蔵し、該室内熱交換器の側方部位に室内アース施工用のアース線固定ねじ部を設け、アース線を該アース線固定ねじ部から斜め上方に導き、上記筐体と一体成形されたアース線案内溝ならびにアース線固定用引掛けツメを通って室内ユニット背面へと導く構造を備えることを特徴とする空気調和機。
【請求項２】
上記アース線固定ねじ部をフランジ状に囲う構造を上記筐体に備え、該アース線固定ねじ部を覆うカバーを上記筐体に一体成形により備えることを特徴とする請求項１に記載の空気調和機。
【請求項３】
上記アース線固定ねじ部を覆う筐体に一体成形のカバーを、室内アース施工時に取り外すことが可能なことを特徴とする請求項２に記載の空気調和機。
【請求項４】
請求項１〜３において、該アース線を上記アース線固定ねじ部から室内ユニット背面へと導く際に、電気品の箱に一体成形されたアース線案内凹形状を備えることを特徴とする空気調和機。
【発明の詳細な説明】
【技術分野】
【０００１】
本発明は空気調和機に関し、空気調和機を据え付けた室内でアースを施工する際に、一端が熱交換器のアース線固定ねじ部に接続され、他端が室内のアース端子に接続された場合の筐体の構造（アース線固定ねじ部周辺およびアース線案内の構造）に関する。
【背景技術】
【０００２】
空気調和機のアース施工には、室外ユニットからアース施工する場合と室内ユニットからアース施工する場合とが考えられる。このうち、室内ユニットからアース施工する際、その配線方法として、アース線の一端を空気調和機の室内熱交換器のアース線固定ねじ部に接続し、他端を空気調和器を据え付けた室内のアース端子に接続する方法が挙げられる。空気調和機を冷房・除湿運転すると、室内熱交換器の冷却に伴い熱交換器を通過する室内空気から凝縮水すなわち露が発生する。熱交換器のアース線固定ねじ部にも、露が付くため、該アース線固定ねじ部の金具端面は錆び易く、清掃時に美観を損ねるので、該アース線固定ねじ部を清掃時にも見えないように、筐体とは別に該アース線固定ねじ部を覆うカバーを備える工夫がなされている。
【０００３】
【特許文献１】特開２００４−１７７０６２号公報
【発明の開示】
【発明が解決しようとする課題】
【０００４】
記載した従来の空気調和機では、次のような問題があった。
【０００５】
熱交換器のアース線固定部の金具端面は錆びやすいため、該錆を隠す為に筐体とは別に、該アース線固定ねじ部を覆うカバーを備えることにより美観を保っているが、別部品であるため、部品数が増えてしまい製造原価アップにつながっている。
【０００６】
また、筐体と一体成形されたアース線案内溝を通って室内ユニット背面へと導く構造を備えているが、室内ユニット内部を通過する部分については、明確な案内構造にすることは困難であった。
【０００７】
そこで本発明では、該アース線固定ねじ部を覆うカバーを筐体と一体成形する構造とした。
【０００８】
さらに、アース線を背面部に確実に導く為に、電気品の箱に一体成形されたアース線案内凹形状を備える構造とした。
【０００９】
以上のような筐体構造を備えた空気調和機を提案する。
【課題を解決するための手段】
【００１０】
上記課題を解決するために本発明では、空気調和機のアースを室内にて施工するためのアース線固定ねじ部を熱交換器側方に設け、該上記アース線固定ねじ部よりアース線を斜め上方に導き、室内ユニット背面へと導くアース線案内溝を筐体と一体成形にて設けた。
【００１１】
また、アース線をアース線案内溝に確実に固定できるように引掛けツメを、該アース線案内溝部に筐体と一体成形にて設けた。
【００１２】
さらに、上記アース線固定ねじ部を覆うカバーを筐体と一体成形にて設けた。このカバーは筐体と一体になっており、室内アース施工時はカバーの切り取り溝から、カッター等の工具により簡単に取り外す構造とした。もしくは、一部を繋いだままとし、その部分をヒンジ形状にすることにより、アース線取り付け後も美観を保つことを可能とする。
【００１３】
また、アース線を背面部に確実に導く為に、電気品の箱に一体成形されたアース線案内凹形状を備える構造とした。
【発明の効果】
【００１４】
空気調和機のアースを室内にて施工するためのアース線固定ねじ部を熱交換器側方に設け、該アース線固定ねじ部よりアース線を斜め上方に導き、室内ユニット背面へと導くアース線案内溝を筐体と一体成形にて設け、さらに、該アース線案内溝部に筐体と一体成形にて引掛けツメを設けることにより、アース線を該アース線案内溝に確実に固定でき、アース線固定ねじ部で発生した露がアース線を伝わって電気品箱等へと流れ込むのを防止できる。
【００１５】
さらに、上記アース線固定ねじ部を覆うカバーを筐体と一体成形にて設けたことにより、空気調和機のアースを室内にて施工する場合以外は、上記に述べたように錆びやすい熱交換器のアース線固定ねじ部の金具端面を覆い美観を保つことが出来る。このとき、該アース線固定ねじ部を覆うカバーは筐体と一体成形にて設けていることから、この部分を安価に生産することが可能となる。
【００１６】
空気調和機のアースを室内にて施工する場合は該カバーはカッター等の工具により取り外す。繋げている部分を薄くすることにより、簡単に取り外せる仕様としている。この場合、熱交換器のアース線固定ねじ部が見えてしまうが、アースを室内にて施工する割合はそれほど高くないため、価格を優先する場合は有効的な手段となる。もしくは、該カバーの一部を繋いだままとし、その部分をヒンジ形状にすることにより、アース線取り付け後も美観を保つことを可能となる。
【００１７】
また、アース線を前面から背面部へ確実に導く為に、電気品の箱に一体成形されたアース線案内凹形状を備える構造とした。これにより、前面側から背面へアース線を通す際に案内路となり、適切なところからスムーズにアース線を通すことが可能となった。
【発明を実施するための最良の形態】
【００１８】
図１は、本発明の実施の形態に関する空気調和機の室内ユニット筐体１の部分正面図であり、室内にてアースを施工する際、筐体１を外すことなく熱交換器側方に設けたアース線固定ねじ部５にアース線４をねじ止めすることができる構造となっている。
【００１９】
図２は、図１に示すアース線固定ねじ部５の部分拡大図であり、熱交換器のアース線固定ねじ部５を筐体１がフランジ状に覆う構造１２となっている。アース線４は一端を熱交換器のアース線固定ねじ部５に接続され、斜め上方に配線され、筐体と一体成形されたアース線案内溝７ａ，７ｂおよび７ｃを通って、電気品箱３の側方に設けられたアース線通過穴９へと導かれ、他端は空気調和機を据え付けた室内に設けられているアース端子に接続されている。
【００２０】
このとき、アース線引掛け固定ツメ８ａ，８ｂ，８ｃにてアース線４を固定することにより、アース線案内溝７ａ，７ｂ，７ｃにアース線４を確実に固定でき、アース線が溝から外れることを防止できる。
【００２１】
図３は、図２のアース線固定ねじ部５のカバー１０を取り外す前の状態を示している。このカバーがあることにより、錆びやすい熱交換器のアース線固定ねじ部の金具端面を覆い美観を保つことが出来る。また、室内アース施工時はカバーの切り取り溝１１ａ，１１ｂ，１１ｃから、カッター等の工具により簡単に取り外す構造とした。
【００２２】
図４は、図１のＡ−Ａ断面を示している。図に示す通り、電気品３の箱に一体成形されたアース線案内凹形状１３を備える。これにより、前面側のアース線通過穴９から筐体1内部に入れたアース線４を背面へ通過させる際に案内路となり、矢印のとおり適切なところからスムーズにアース線を通すことが可能となった。
【図面の簡単な説明】
【００２３】
【図１】本発明の実施の形態に関する空気調和機の室内ユニット筐体の部分正面図。
【図２】図１のアース線固定ねじ部の部分拡大図。
【図３】図２のカバーを取り外していない図。
【図４】図１のＡ−Ａ断面の部分拡大図。
【符号の説明】
【００２４】
１…室内ユニット筐体、２…熱交換器、３…電気品箱、４…アース線、５…アース線固定ねじ部、６…アース線固定ねじ、７ａ，７ｂ，７ｃ…アース線案内溝、８ａ，８ｂ，８ｃ…アース線引掛け固定ツメ、９…アース線通過穴、１０…アース線固定ねじ部カバー、１１ａ，１１ｂ，１１ｃ…アース線固定ねじ部カバー切り取り溝、１２…アース線取り付け部を覆う筐体フランジ構造、１３…アース線案内凹形状。
【図１】
2007085565.tif 000003
【図２】
2007085565.tif 000004
【図３】
2007085565.tif 000005
【図４】
2007085565.tif 000006